(57)【要約】      （修正有）【課題】簡単な構造であっても、乗りかご内の生ごみ等の臭いを効率よく消臭できるエレベーター装置を提供する。【解決手段】複数の階床１１，１２，１３からなる建屋の昇降路１０内を昇降する乗りかご５と、乗りかご５に設けられた換気扇５１と、乗りかご５に設けられた乗りかごドア３１と、複数の階床１１，１２，１３に設けられた乗り場ドア１１１，１２１，１３１を備えたエレベーター装置において、乗りかご５の待機中、一定の条件を満たすときに、換気扇５１により乗りかご５の内外へ空気を送風するようにした。【選択図】図１
2006137537.tif 000002
【特許請求の範囲】
【請求項１】
複数の階床からなる建屋の昇降路内を昇降する乗りかごと、該乗りかごに設けられた換気扇と、前記乗りかごに設けられた乗りかごドアと、前記複数の階床の少なくとも１つに設けられた乗り場ドアを備えたエレベーター装置において、前記乗りかごの待機中、一定の条件を満たすときに、前記換気扇により前記乗りかごの内又は外へ空気を送風することを特徴とするエレベーター装置。
【請求項２】
複数の階床からなる建屋の昇降路内を昇降する乗りかごと、通常時に前記乗りかごの内又は外へ空気を送風する換気扇と、前記乗りかごに設けられた乗りかごドアと、前記複数の階床の少なくとも１つに設けられた乗り場ドアを備えたエレベーター装置において、前記乗りかごの釦及び前記乗り場の釦がいずれも登録されていない場合であって、一定の条件を満たすとき、前記乗りかごドア及び乗り場ドアを開け、前記換気扇の送風量を通常時の送風量よりも増加させることを特徴とするエレベーター装置。
【請求項３】
請求項１又は２において、前記一定の条件とは、前記乗りかごに設置されたセンサが所定の臭いを検知したことであることを特徴とするエレベーター装置。
【請求項４】
請求項１又は２において、前記一定の条件とは、前記乗りかご釦及び乗り場釦の未登録状態が所定時間経過したことであることを特徴とするエレベーター装置。
【請求項５】
複数の階床からなる建屋の昇降路内を昇降する乗りかごと、通常時に前記乗りかごの内又は外へ空気を送風する換気扇と、前記乗りかごに設けられた乗りかごドアと、前記複数の階床の少なくとも１つに設けられた乗り場ドアを備えたエレベーター装置において、前記乗りかごの釦及び乗り場の釦の未登録状態が所定時間経過した後に、前記換気扇の送風量を通常時の送風量よりも増加させ、更に所定時間経過した後又は前記乗りかごの釦の登録若しくは乗り場の釦の登録があった時に、前記換気扇の送風量を通常の送風量に減少させることを特徴とするエレベーター装置。
【請求項６】
請求項１乃至５のいずれかにおいて、前記換気扇は、前記乗りかごドアの閉じ端へ向けて空気を送風することを特徴とするエレベーター装置。
【請求項７】
請求項１乃至５のいずれかにおいて、前記換気扇は、前記昇降路へ向けて空気を送風することを特徴とするエレベーター装置。
【発明の詳細な説明】
【技術分野】
【０００１】
本発明は、複数の階床をサービスするエレベーターに係り、特に、乗りかご内の消臭を行うものに関する。
【背景技術】
【０００２】
従来から、乗りかごに換気扇が設置され、昇降路から乗りかご内へ送風することにより、乗客に清涼感を与えるように配慮されたエレベーターが提案されている。また、例えば、下記特許文献１には、乗りかご内に消臭剤を散布する機能の付いたエレベーターが記載されている。
【０００３】
【特許文献１】特開２００２−１５４７７２号公報
【発明の開示】
【発明が解決しようとする課題】
【０００４】
しかしながら、マンションに設置されるエレベーターなどでは、家庭内で発生した生ごみの持ち運びに利用されるため、生ごみ特有の臭いが乗りかご内に充満し、単に換気扇により送風するだけでは消臭しきれず、乗客に大変な不快感を与える場合があり、効率も良くない。また、消臭剤を散布する方法の場合、そのための装置を設けるのが容易ではなく、製品化するには現実的ではない。
【０００５】
本発明の目的は、簡単な構造であっても、乗りかご内の生ごみ等の臭いを効率よく消臭できるエレベーター装置を提供することにある。
【課題を解決するための手段】
【０００６】
上記目的を達成するために、本発明では、複数の階床からなる建屋の昇降路内を昇降する乗りかごと、該乗りかごに設けられた換気扇と、前記乗りかごに設けられた乗りかごドアと、前記複数の階床の少なくとも１つに設けられた乗り場ドアを備えたエレベーター装置において、前記乗りかごの待機中、一定の条件を満たすときに、前記換気扇により前記乗りかごの内又は外へ空気を送風するようにした。
【発明の効果】
【０００７】
本発明によれば、簡単な構造であっても、乗りかご内の生ごみ等の臭いを効率よく消臭できるエレベーター装置を提供することができる。
【発明を実施するための最良の形態】
【０００８】
以下、本発明の実施例について、図面を用いて説明する。
【０００９】
図１は、本発明の第１の実施例におけるエレベーター装置の全体構造を示す図である。複数の階床１１，１２，１３からなる建屋の昇降路１０内に、乗りかご５が配置され、図示しない主索により釣合いおもりと連結されている。そして、この乗りかご５は、かご図示しない巻上機によって駆動力が与えられ、昇降路１０内を昇降できるように構成されている。また、各階床１１，１２，１３の乗り場には、エレベーター呼び登録のための乗り場釦が設けられ、乗りかご５内には行先階登録のための乗りかご釦が設けられている。更に、各階床１１，１２，１３には、乗り場ドア１１１，１２１，１３１が夫々設けられており、これらの乗り場ドアを開閉する際には、ドア駆動装置３により開閉する乗りかごドア３１と係合するようになっている。尚、乗り場ドアは、必ずしもすべての階床に設けられているとは限らない。また、乗りかご５の上部の天井には、換気扇５１が取付けられており、乗りかごドア３１の閉じ端へ向けて空気を送風し、乗りかご５の外部の昇降路から空気を吸い込むことにより、乗りかご５内の換気を行っている。尚、乗りかご５内の呼び情報やドアの情報，換気扇の駆動信号などは、移動テーブル６１により、制御装置６に接続されている。
【００１０】
次に、本実施例の乗りかご５内の消臭方法について、図２を用いて説明する。
【００１１】
まず、乗りかご５内の最後の乗客が、所定の階床、例えば階床１１で降りた際、他のいずれかの階床の乗り場釦が既に登録されているときは、乗りかごドア３１及び乗り場ドア１１１が閉じて、登録のあった階床へ乗りかご５が移動する。また、他の階床の乗り場釦の登録がされていないときであっても、階床１１から乗りかご５へ乗り込む乗客がいる場合は、乗りかご釦の登録により、乗りかごドア３１及び乗り場ドア１１１が閉じる。しかしながら、乗りかご５内の最後の乗客が降りた際、乗りかご釦及び乗り場釦がいずれも未登録状態であれば、乗りかごドア３１及び乗り場ドア１１１は開いたままである。
【００１２】
そこで、本実施例では、この乗りかご釦及び乗り場釦の未登録状態が、所定時間例えば約３分間経過した後、換気扇５１の送風量を通常時の送風量よりも増加させて消臭運転を開始する。更に、乗りかご釦若しくは乗り場釦の登録があった時、又は所定時間例えば約２分間経過した後、換気扇５１の送風量を通常の送風量に減少させて消臭運転を停止する。尚、換気扇５１の送風量を増減させるためには、換気扇５１に供給する電圧の値を増減させて回転数を上げれば良い。
【００１３】
上記のような本実施例によれば、乗りかご５の待機中の時間を有効に利用し、乗りかごドア及び乗り場ドアを開放させた状態で、換気扇により積極的に送風を行うので、消臭剤散布装置等の特段の装置を設けない簡単な構造であっても、乗りかご５内を効果的に消臭することができる。また、乗りかごドア等が閉じている通常時には換気扇の送風量を少なくし、一定の条件を満たすときに換気扇の送風量を多くしたので、効率よく消臭でき、また通常時は静音状態に保つことができる。
【００１４】
次に、本発明の第２の実施例における乗りかご５内の消臭方法について、図３を用いて説明する。本実施例の換気扇５１は、乗りかご５の外部の昇降路へ向けて空気を送風し、乗りかご５の内部から空気を吸い込むことにより、乗りかご５内の換気を行うものであり、通常時には送風せず、消臭運転時にのみ送風を行う。そして、乗りかご５内の最後の乗客が、所定の階床、例えば階床１１で降りると、乗りかご釦及び乗り場釦の登録の有無に関わらず、乗りかごドア３１及び乗り場ドア１１１が閉じる。その後、乗りかご釦及び乗り場釦の未登録状態が、所定時間例えば約３分間経過すると、乗りかごドア３１及び乗り場ドア１１１が開き、換気扇５１が送風を行って消臭運転を開始する。更に、乗りかご釦若しくは乗り場釦の登録があった時、又は所定時間例えば約１分間経過した後、換気扇の送風をやめて消臭運転を停止し、乗りかごドア３１及び乗り場ドア１１１を閉じる。
【００１５】
尚、本実施例では、通常時に換気扇５１の送風を行わないが、通常時に消臭運転時と異なる向き、すなわち、乗り場ドアの閉じ端へ向けて送風するようにしても良いし、第１の実施例の如く、通常時と消臭運転時の換気扇５１の送風量を変化させても良い。
【００１６】
また、上記第１，第２の実施例では、乗りかご釦及び乗り場釦の未登録状態が、所定時間経過したときに、消臭運転を開始させているが、乗りかご５に臭いセンサ５２を設置し、このセンサが所定の臭いを検知したときに、消臭運転を開始させるものであっても構わない。更に、生ごみの持ち運びが多く行われる朝など時間帯によって消臭運転させても良い。
【図面の簡単な説明】
【００１７】
【図１】本発明の第１の実施例を示すエレベーター装置の全体構成図である。
【図２】本発明の第１の実施例の消臭方法を示す図である。
【図３】本発明の第２の実施例の消臭方法を示す図である。
【符号の説明】
【００１８】
５…乗りかご、１１，１２，１３…階床、３１…乗りかごドア、５１…換気扇、５２…臭いセンサ、１１１，１２１，１３１…乗り場ドア。
【図１】
2006137537.tif 000003
【図２】
2006137537.tif 000004
【図３】
2006137537.tif 000005